(57)【要約】      （修正有）【課題】紙容器薄肉部のフィルムが破断片化してストロー内に直接入り込むことを確実に防止し、かつそのフィルムが破断片化して容器内に落下することを簡易にかつ廉価に防止することができる飲用ストローを提供する。【解決手段】飲料用ストロー２は、液体食品用紙容器に用いられる１本若しくは複数本のストロー管からなる飲料用ストローであって、液体食品用紙容器が飲料用ストローを差込むための薄肉部３を器壁に有し、ストローが、薄肉部に差込まれる側のストロー管の先端４で鋭角に斜めに切断されて形成される尖った先端槍部４ｂと先端基部４ａとを有し、先端基部の外側角部がアール加工又は／及び面取り加工されているように構成したものである。【選択図】図１
2006141575.tif 000002
【特許請求の範囲】
【請求項１】
液体食品用紙容器に用いられる１本若しくは複数本のストロー管からなる飲料用ストローであって、該液体食品用紙容器が該飲料用ストローを差込むための薄肉部を器壁に有し、該ストローが、該薄肉部に差込まれる側のストロー管の先端で鋭角に斜めに切断されて形成される尖った先端槍部と先端基部とを有し、該先端基部の外側角部がアール加工又は／及び面取り加工されていることを特徴とする飲料用ストロー。
【請求項２】
前記飲料用ストローが、該薄肉部に差込まれる側の内管と該内管を収納する外管とからなる伸縮ストローであって、該外管の先端側の外側角部がアール加工又は／及び面取り加工されている請求項１記載の飲料用ストロー。
【発明の詳細な説明】
【技術分野】
【０００１】
本発明は、ジュースや牛乳などの液体食品などを充填した紙容器などに用いる飲料用ストローに関する。
【背景技術】
【０００２】
液体食品用紙容器から飲料を飲む方法には種々がある。図４に示すような、矩形紙容器の例では、紙容器（１）に、プラスチックフィルム袋に包装された飲料用ストロー（２）が添付されている。紙容器の器壁上面に、飲料用ストロー（２）を差込むための薄肉部（３）、すなわち、ストロー孔が形成されている。この薄肉部は、通常、紙主体の包材の紙基材層にパンチなどで打ち抜かれ、この紙基材層にプラスチック層及び、必要であれば、アルミニウム箔層を形成することによって形成される。
飲料用ストローが、図３に示すように、内管２ａと内管を収納する外管２ｂとからなる伸縮ストローである場合、内管２ａの先端部４からその薄肉部に差込まれる。
消費者がこの紙容器から飲料を飲む場合、図５に示すように、飲料用ストロー（２）を薄肉部に破断穴を形成して差込み、飲用することによって使用することができる。 
しかし、飲料用ストロー用の薄肉部（パンチ穴部分）のフィルムが、差込時に破断片化してストロー内に直接入り込んで消費者がそれを飲んでしまう恐れ、または、パンチ穴の部分のフィルムが破断片化して、容器内に落下しそれを消費者が飲んでしまう恐れがある。破断片は、何ら体に影響がないが、極めて清潔観念が強い消費者にとって好ましくはない。
【０００３】
上記の不都合を解消する為に、例えば、飲用ストローの先端開口部に薄肉部断片のストロー管内部への侵入を防止する網を設ける技術、及び飲用ストローの先端を鉛筆の先端部のように尖塔様に尖らせる技術が提案されている。（特許文献参照）
【特許文献１】特開２００２−２５３４１５号公報
【発明の開示】
【発明が解決しようとする課題】
【０００４】
上記従来技術による飲用ストローでは、薄肉部のフィルムが破断片化してストロー内に直接入り込むこと及びで破断片化して容器内に落下することを簡易にかつ廉価に防止することができない。
本発明は、紙容器薄肉部のフィルムが破断片化してストロー内に直接入り込むことを確実に防止し、かつそのフィルムが破断片化して容器内に落下することを簡易にかつ廉価に防止することができる飲用ストローを提供することを目的とする。
【課題を解決するための手段】
【０００５】
この課題を解決する本発明の飲料用ストローは、液体食品用紙容器に用いられる１本若しくは複数本のストロー管からなる飲料用ストローであって、液体食品用紙容器が飲料用ストローを差込むための薄肉部を器壁に有し、ストローが、薄肉部に差込まれる側のストロー管の先端で鋭角に斜めに切断されて形成される尖った先端槍部と先端基部とを有し、先端基部の外側角部がアール加工又は／及び面取り加工されていることを特徴とする。
【０００６】
この発明の好ましい態様において、飲料用ストローが、その薄肉部に差込まれる側の内管と内管を収納する外管とからなる伸縮ストローであって、外管の先端側の外側角部がアール加工又は／及び面取り加工されている。
【発明の効果】
【０００７】
以上のように本発明によれば、以下の有利な効果が得られる。
これにより、飲用ストローを紙容器の薄肉部に差し込む際に、先端で鋭角に斜めに切断されて形成された尖った先端槍部が、先ず、容易に薄肉部のフィルムに小さな穴を形成することができ、ストローを更に差し込むことによってこの小さな穴からより大きな穴を形成し、フィルムが円弧状に切断されてストロー穴の縁に垂れ下がる。更にストローを差し込むと、先端基部の外側角部と薄肉部のフィルムとが接触するようになるが、その先端基部がアール加工又は／及び面取り加工されているので、そのフィルムが切断することがない。その結果、フィルムがストロー穴の縁に垂れ下がった状態で大きく開口される。破断片化してストロー内に直接入り込むことを確実に防止し、かつそのフィルムが破断片化して容器内に落下することを簡易にかつ廉価に防止することができる。
【発明を実施するための最良の形態】
【０００８】
以下、本発明の実施の形態について図面を参照しながら詳細に説明する。
図1は、従来の飲料用ストロー（ａ）、（ｂ）、（ｃ）と本発明のストローの一例（Ａ）、（Ｂ）、（Ｃ）の一部拡大図である。
この実施形態のの飲料用ストロー２は、液体食品用紙容器に用いられる１本のストロー管からなる飲料用ストローであって、液体食品用紙容器が飲料用ストローを差込むための薄肉部３を器壁に有する。
このストロー２が、薄肉部３に差込まれる側のストロー管の先端４で鋭角に斜めに切断されて形成される尖った先端槍部４ｂと先端基部４ａとを有し、先端基部４ａの外側角部がアール加工又は／及び面取り加工されている。
【０００９】
外側角部のアール加工又は／及び面取り加工は、先端基部４ａの外側角部がアール（丸み）を持つように、加工して、また、角の更に面を形成する加工によって行う。ストローが熱可塑性樹脂である場合、熱を加えることによって軟化して加工が容易である。
【００１０】
図1を参照して、この実施形態の飲料用ストローの作用動作（Ａ）、（Ｂ）、（Ｃ）を従来の飲料用ストローの作用動作（ａ）、（ｂ）、（ｃ）と対比して説明する。
飲用ストローを紙容器の薄肉部３に差し込む際に、先端４で鋭角に斜めに切断されて形成された尖った先端槍部４ｂが、先ず、容易に薄肉部３のフィルムに小さな穴を形成することができ、ストローを更に差し込むことによってこの小さな穴からより大きな穴を形成し、フィルムが円弧状に切断されてストロー穴の縁に垂れ下がる図1（Ｃ）。
【００１１】
更にストローを差し込むと、先端基部の外側角部４ａと薄肉部３のフィルム３ａとが接触するようになる。従来の飲料用ストローでは、先端基部の外側角部４ａが角ばっている為に図１（c）に示すように、薄肉部３のフィルムを切断して破断片化し、容器内に落下する恐れがある。
これに対して、この実施形態の飲料用ストローの先端基部の外側角部４ａがアール加工又は／及び面取り加工されているので、そのフィルムが切断することがない。その結果、図１（C）に示すようにフィルム３ａがストロー穴の縁に垂れ下がった状態で大きく開口される。
【００１２】
この実施形態の飲料用ストローは、破断片化してストロー内に直接入り込むことを確実に防止し、かつそのフィルムが破断片化して容器内に落下することを簡易にかつ廉価に防止することができる。
【００１３】
この発明の好ましい態様において、飲料用ストローが、その薄肉部に差込まれる側の内管と内管を収納する外管とからなる伸縮ストローであって、外管の先端側の外側角部がアール加工又は／及び面取り加工されている。
図２に、従来の飲料用伸縮ストロー（ａ）と本発明のストローの伸縮ストロー例（Ａ）の一部拡大図である。
図示する形態においては、飲料用ストローが、その薄肉部に差込まれる側の内管２ａと内管を収納する外管２ｂとからなる伸縮ストローである。本発明のストローの伸縮ストロー例においては、外管２ｂの先端側の外側角部２ｃがアール加工又は／及び面取り加工されている。
【００１４】
外側角部２cのアール加工又は／及び面取り加工は、外側角部がアール（丸み）を持つように、加工して、また、角の更に面を形成する加工によって行う。ストローが熱可塑性樹脂である場合、単に熱を加えることによって軟化してアールを持つようになる。
【００１５】
図２を参照して、この実施形態の飲料用ストローの作用動作（Ａ）を従来の飲料用ストローの作用動作（ａ）と対比して説明する。
上述したように、飲用ストローを紙容器の薄肉部に差し込む際に、先端４で鋭角に斜めに切断されて形成された尖った先端槍部が、先ず、容易に薄肉部のフィルムに小さな穴を形成し、ストロー内管２ａを更に差し込むことによって大きな穴を形成する。
【００１６】
更にストローを差し込むと、外管２bの外側角部２cと薄肉部のフィルムとが接触するようになる。従来の飲料用ストローでは、図２（ａ）に示すように先端基部の外側角部２cが角ばっている為に薄肉部のフィルムを切断して破断片化し、容器内に落下する恐れがある。
これに対して、この実施形態の飲料用ストローの外管２bの外側角部２cが図２（Ａ）に示すようにアール加工又は／及び面取り加工されているので、外管２bの先端まで差し込んでもフィルムが切断することがない。フィルムが依然とストロー穴の縁に垂れ下がった状態で大きく開口される。
【００１７】
なお、本発明は前記実施の形態に限定されるものではなく、本発明の趣旨に基づいて種々変形させることが可能であり、それらを本発明の範囲から排除するものではない。
【産業上の利用可能性】
【００１８】
この発明の飲料用ストローによって、牛乳、ジュース、ミネラルウォーターなどの飲料、流動食品などの包装容器のストローに用いることができる。
【図面の簡単な説明】
【００１９】
【図１】従来の飲料用ストロー（ａ）、（ｂ）、（ｃ）と本発明のストローの一例（Ａ）、（Ｂ）、（Ｃ）の一部拡大図である。
【図２】従来の飲料用ストロー（ａ）と本発明のストローの一例（Ａ）の一部拡大図である。
【図３】内管と外管とを有する伸縮ストローの外観図である。
【図４】矩形紙容器の外観を示す斜視図である。
【図５】紙容器にストローを用いている状態を示す外観図である。
【符号の説明】
【００２０】
１  ・・・容器
２  ・・・ストロー
３  ・・・薄肉部
【図１】
2006141575.tif 000003
【図２】
2006141575.tif 000004
【図３】
2006141575.tif 000005
【図４】
2006141575.tif 000006
【図５】
2006141575.tif 000007